(57)【要約】【課題】電解液が外部に漏液しにくいモノブロック式制御弁式鉛蓄電池用の蓋を提供する。【解決手段】モノブロック式制御弁式鉛蓄電池用の蓋１４上面の複数の安全弁室１７を、溝部１によって互いに連結するとともに、各安全弁室１７から外側方向にも溝部１を形成する。そして、安全弁室１７から外側方向の溝部１には穴部２を形成するとともに、前記穴部２を正極極柱１０及び負極極柱７との溶接部分１９の上方に設ける。【選択図】　　　　　図１
2004087345.tif 000002
【特許請求の範囲】
【請求項１】
複数個の極板群を直列に接続して構成されるモノブロック式制御弁式鉛蓄電池用の蓋において、前記蓋の上面には、複数の安全弁室が形成されており、該安全弁室から外側方向に溝部が形成されていることを特徴とするモノブロック式制御弁式鉛蓄電池用の蓋。
【請求項２】
複数個の極板群を直列に接続して構成されるモノブロック式制御弁式鉛蓄電池用の蓋において、前記蓋の上面には、複数の安全弁室が形成されており、前記安全弁室は溝部によって互いに連結されており、且つ、前記安全弁室から外側方向にも溝部が形成されていることを特徴とするモノブロック式制御弁式鉛蓄電池用の蓋。
【請求項３】
前記安全弁室から外側方向に形成されている溝部には、穴部が形成されていることを特徴とする請求項１又は請求項２記載のモノブロック式制御弁式鉛蓄電池用の蓋。
【請求項４】
前記穴部は、正極極柱と負極極柱との溶接部分を接着して固定するための蓋の裏面に形成されている溝の上方に設けられていることを特徴とする請求項３記載のモノブロック式制御弁式鉛蓄電池用の蓋。
【発明の詳細な説明】
【０００１】
【発明の属する技術分野】
本発明は、モノブロック式制御弁式鉛蓄電池用の蓋の構造に関するものである。
【０００２】
【従来の技術】
モノブロック式の制御弁式鉛蓄電池は安価であり、信頼性が高いという特徴を有するために、自動車用バッテリや無停電電源装置などにおいて広く使用されている。
【０００３】
図４に示されるような小形のモノブロック式の制御弁式鉛蓄電池は、セル間接続方式として、主にオーバーブリッジ方式が使用されている。すなわち、６個の極板群３を樹脂製の電槽１３に挿入した後に、電槽隔壁４の上部で正極極柱１０と負極極柱７とを抵抗溶接などによって溶接して溶接部分１９を形成して直列に接続をする。
【０００４】
ここで、使用時における振動等によって極板群３が動いて、正極極柱１０と負極極柱７との溶接部分１９が破損する場合がある。そこで、破損防止のために、蓋１４の裏面で、接着剤、例えばエポキシ系接着剤などによって溶接部分１９を蓋１４と固定する手法が用いられている。一般的には、蓋１４の裏面に溝を形成し、前記溝に液体状のエポキシ系接着剤を充填しておき、溶接部分１９を埋め込んだ状態で固化させて固定する手法が用いられている。
【０００５】
そして、図３に示すように、接着や溶着等によって電槽１３の上部に蓋１４を取り付けた後に、蓋１４の安全弁室１７に形成されている６個の安全弁筒１８からそれぞれのセルごとに希硫酸電解液を注液して電槽化成をしている。
【０００６】
その後、それぞれの安全弁室１７に形成されている安全弁筒１８に、一例としてキャップ形安全弁１６を被せた後に、平板状をした上蓋１５を接着や溶着等によって蓋１４の上面に取り付けて、制御弁式鉛蓄電池を作製している（図３、４）。
【０００７】
【発明が解決しようとする課題】
しかしながら、上記したモノブロック式制御弁式鉛蓄電池は、使用中に内部の電解液が外部に漏れるという場合が認められている。すなわち、大電流で充電された場合などの誤った使用がされた場合や、極めて低温の雰囲気中で充電されたような場合には、安全弁筒１８、キャップ形安全弁１６、上蓋１５を通して、モノブロック式制御弁式鉛蓄電池内部の電解液が外部に漏れるという場合が認められた。
【０００８】
本発明の目的は、大電流での充電などの誤った使用がされた場合や、極めて低温で充電されたような場合でも、モノブロック式制御弁式鉛蓄電池の内部の電解液が外部に漏れにくい構造の蓋１４を提供するものである。
【０００９】
【課題を解決するための手段】
上記した課題を解決するために、本発明に係わる蓋の上面部分の安全弁室は、溝部によって互いに連結されており、且つ、前記安全弁室から外側方向にも溝部が形成されており、該溝部の一部にはさらに穴部を設けることを特徴とするものである。
【００１０】
そして、溝部を設けることによってモノブロック式制御弁式鉛蓄電池の内部で発生したガスを外部に抜けやすくするとともに、溝部と穴部の両方に電解液を一時的に蓄えることができる。したがって、モノブロック式制御弁式鉛蓄電池の内部の電解液が外部に漏れにくくすることを特徴とするものである。
【００１１】
すなわち、請求項１の発明は、複数個の極板群を直列に接続して構成されるモノブロック式制御弁式鉛蓄電池用の蓋において、前記蓋の上面には、複数の安全弁室が形成されており、該安全弁室から外側方向に溝部が形成されていることを特徴としている。
【００１２】
請求項２の発明は、複数個の極板群を直列に接続して構成されるモノブロック式制御弁式鉛蓄電池用の蓋において、前記蓋の上面には、複数の安全弁室が形成されており、前記安全弁室は溝部によって互いに連結されており、且つ、前記安全弁室から外側方向にも溝部が形成されていることを特徴としている。
【００１３】
請求項３の発明は、請求項１又は請求項２記載の発明において、安全弁室から外側方向に形成されている溝部には、穴部が形成されていることを特徴としている。
【００１４】
請求項４の発明は、請求項３記載の発明において、穴部は、正極極柱と負極極柱との溶接部分を接着して固定するための蓋の裏面に形成されている溝の上方に設けられていることを特徴としている。
【００１５】
【発明の実施の形態】
以下において、本発明に係わる特徴部分であるモノブロック式制御弁式鉛蓄電池用蓋の上面部分の構造を、図１及び図２を用いて詳細に説明する。なお、以下の実施例では、上記した図４に示されるようにセル間接続方式としてオーバーブリッジ方式を用いた場合について示している。
【００１６】
すなわち、６個の極板群３を樹脂製の電槽１３に挿入した後に、電槽隔壁４の上部で正極極柱１０と負極極柱７とを抵抗溶接などによって溶接して溶接部分１９を形成して直列に接続をする。
【００１７】
ここで、使用時における振動等によって極板群３が動いて、正極極柱１０と負極極柱７との溶接部分１９が破損する場合がある。そこで、破損防止のために、蓋１４の裏面で、接着剤、例えばエポキシ系接着剤などによって溶接部分１９を蓋１４と固定する手法が一般的に用いられている。本実施例でも、蓋１４の裏面に溝を形成し、前記溝に液体状のエポキシ系接着剤を充填しておき、溶接部分１９を埋め込んだ状態で固化させて固定する手法を用いた。
【００１８】
そして、接着によって電槽１３の上部に蓋１４を取り付けた後に、蓋１４の安全弁室１７に形成されている６個の安全弁筒１８からそれぞれのセルごとに希硫酸電解液を注液して電槽化成をした。
【００１９】
その後、それぞれの安全弁室１７に形成されている安全弁筒１８に、一例としてキャップ形安全弁１６を被せた後に、平板状をした上蓋１５を接着や溶着等によって蓋１４の上面に取り付けて、制御弁式鉛蓄電池を作製した。
【００２０】
（実施例１）
本発明に係わる実施例１について、図２を用いて説明する。ここで、実施例１は図２に示されるように、蓋１４の上面部分に改良を加えたものである。すなわち、蓋１４の上面部分には溝部１が形成されており、該溝部１はキャップ形安全弁１６が収納されているそれぞれの安全弁室１７を互いに連結した後に、外側方向に掘り込まれているように形成した。
【００２１】
ここで、蓋１４に外側方向に掘り込まれている溝部を設けることによって、制御弁式鉛蓄電池の内部で発生したガスを外部に抜けやすくすることができる。さらに、いずれかの安全弁室１７において電解液が濾液したような場合でも、互いに連結されている他の安全弁室１７や溝部１に電解液を一時的に蓄えることができる。したがって、本発明に係わる蓋１４を用いることによって、モノブロック式制御弁式鉛蓄電池の内部の電解液が外部に濾液しにくくすることができる。
【００２２】
（実施例２）
本発明に係わる実施例２は、図１に示されるように、上記した実施例１の蓋１４の上面部分にさらに改良を加えたものである。すなわち、蓋１４の上面部分のキャップ形安全弁１６が収納されているそれぞれの安全弁室１７を互いに連結した後に、外側方向に掘り込まれている溝部１を形成するとともに、該溝部１の一部には、さらに穴部２を形成するようにした。
【００２３】
ここで、蓋１４に外側方向に掘り込まれている溝部１を設けることによって、制御弁式鉛蓄電池の内部で発生したガスを外部に抜けやすくすることができる。さらに、いずれかの安全弁室１７において電解液が濾液したような場合でも、互いに連結されている他の安全弁室１７、溝部１又は穴部２に電解液を一時的に蓄えることができる。すなわち、実施例１の場合に加えて、蓋１４の穴部２にも電解液を一時的に蓄えることができる。
【００２４】
したがって、実施例２に係わる蓋１４を用いることによって、実施例１よりもさらにモノブロック式制御弁式鉛蓄電池の内部の電解液が外部に濾液しにくくすることができる。
【００２５】
加えて、穴部２の位置を、上記した正極極柱１０と負極極柱７との溶接部分と接着する蓋１４の裏面に形成された溝の上部に設けるようにした。この位置に穴部２を設けることによって、蓋１４の成形を容易にすることができるとともに、蓋１４の成形に必要な樹脂の量を節約することができる。
【００２６】
【発明の効果】
上述したように、本発明に係わる蓋を用いたモノブロック式制御弁式鉛蓄電池は、外部に電解液を濾液しにくくすることができるために、その工業的価値は非常に大きいものである。
【図面の簡単な説明】
【図１】実施例２に係わるモノブロック式制御弁式鉛蓄電池の蓋の概略図である。
【図２】実施例１に係わるモノブロック式制御弁式鉛蓄電池の蓋の概略図である。
【図３】従来から使用されているモノブロック式制御弁式鉛蓄電池の蓋の概略図である。
【図４】オーバーブリッジ方式のモノブロック式制御弁式鉛蓄電池の概略図である。
【符号の説明】
１：溝部、２：穴部、３：極板群、４：電槽隔壁、５：負極耳部、
６：負極ストラップ、７：負極極柱、８：正極耳部、９：正極ストラップ、
１０：正極極柱、１１：負極端子用極柱、１１ａ：負極端子、
１２：正極端子用極柱、１２ａ：正極端子、１３：電槽、１４：蓋、１５：上蓋、
１６：キャップ形安全弁、１７：安全弁室、１８：安全弁筒、１９：溶接部分
【図１】
2004087345.tif 000003
【図２】
2004087345.tif 000004
【図３】
2004087345.tif 000005
【図４】
2004087345.tif 000006